【手続補正書】
【提出日】平成16年1月19日(2004.1.19)
【手続補正１】
【補正対象書類名】明細書
【補正対象項目名】全文
【補正方法】変更
【補正の内容】
【発明の名称】使い捨てのパンツ型おむつ
【特許請求の範囲】
【請求項１】水平方向へ延びる第１上縁と、前記第１上縁と交差するとともに互いに離間平行して上下方向ヘ延びる一対の第１側縁と、前記第１上縁に対向配置され下方向へ向かって凹曲線を画く第１下縁とによって外形を画成される前胴周りシートの前記第１側縁近傍が、前記第１上縁と第１側縁とのそれぞれに平行する第２上縁と第２側縁と、前記第２側縁に対向配置されて前記下方向へ向かって凸曲線を画く第２下縁とによって外形を画成される後胴周りシートの前記第２側縁近傍に接合し、内面と外面とを有する体液吸収性パッドが前記内面を内側にしてＵ字型に折り曲げられて上方へ延びた先端部それぞれの前記外面が前記前後胴周りシートそれぞれの内面に接合しており、前記前後胴周りシートの前記第１、２上縁が胴周り開口を形成するとともに前記前後胴周りシートの前記第１、２下縁と前記パッドの側縁とが協働して一対の脚周り開口を形成し、前記胴周り開口と脚周り開口の縁に並行して延びる弾性部材が前記開口それぞれの周縁部に弾性伸縮性を付与している使い捨てのパンツ型おむつにおいて、
前記脚周り開口それぞれの前記上下方向における頂部が前記前胴周りシートの第１下縁と前記パッドの側縁とによって画成され、前記脚周り開口の縁に並行する弾性部材が、前記前胴周りシートにその第１下縁に並行して取り付けられた第１弾性部材と、前記後胴周りシートにその第２下縁に並行して取り付けられた第２弾性部材と、前記パッドにその側縁に並行して取り付けられた第３弾性部材とからなり、前記第１弾性部材は、前記前胴周りシートにおいて前記頂部から前記おむつの後方へ向かって下降して前記第１側縁近傍にまで延び、前記第２弾性部材は前記第２側縁近傍から前記おむつの後方へ向かって下降し、前記第１弾性部材と第２弾性部材とが前記第１側縁と第２側縁との接合部位近傍で実質的につながり、前記第３弾性部材が前記頂部近傍で前記第１弾性部材と交差する一方、前記第２側縁よりも下方で前記第２弾性部材と交差していることを特徴とする前記おむつ。
【請求項２】前記第１弾性部材は、前記前胴周りシートにおいて前記頂部の一方から前記第１下縁に並行して延びて前記パッドを横断し、前記頂部のもう一方にまで延びている請求項１記載のおむつ。
【請求項３】前記第１弾性部材は、前記前胴周りシートにおいて、前記頂部と第１側縁近傍との間に延びていて、前記頂部どうしの間で切り欠かれている請求項１記載のおむつ。
【請求項４】前記第２弾性部材は、前記後胴周りシートにおいて、前記第２側縁の一方から前記第２下縁に並行して延びて前記パッドを横断し、前記第２側縁のもう一方にまで延びている請求項１〜３のいずれかに記載のおむつ。
【請求項５】前記第２弾性部材は、前記後胴周りシートにおいて、前記第３弾性部材と交差する部位と部位との間で切り欠かれている請求項１〜３のいずれかに記載のおむつ。
【請求項６】前記第１弾性部材と第２弾性部材とが前記脚周り開口の縁に並行してほぼ直線状に延びている請求項１〜５のいずれかに記載のおむつ。
【発明の詳細な説明】
【０００１】
【発明の属する技術分野】
この発明は、使い捨てのパンツ型おむつに関する。
【０００２】
【従来の技術】
特開昭６２−２４３８０６号公報には、前胴周り域と後胴周り域とこれら両胴周り域間に位置する股下域とを有する使い捨てのパンツ型おむつが開示されている。このおむつは、平らに展開した状態でみると、脚周り開口を形成するための半楕円形状の凹欠部がおむつを縦方向に二分する中心線Ｘよりも前胴周り域の側へ偏位して形成されている。この展開したおむつを中心線Ｘに沿って折り重ね、重ねた側縁部どうしを接合して得られるパンツ型のおむつでは、脚周り開口の頂部が前胴周り域に位置している。このおむつでは、おむつの幅方向へ水平に延びる弾性部材と、おむつの上下方向へ垂直に延びる弾性部材とが脚周り開口を囲んでいる。このおむつを着用した子供を床に座らせたときには、脚周り開口の頂部が子供の太股の頂部にほぼ一致するから、脚周り開口の頂部で太股の頂部を強く圧迫するという恐れがない。
【０００３】
特開平３−１３９３４９号公報にもまた、前胴周り域と後胴周り域とこれら両胴周り域間に介在する股下域とを有する使い捨てのパンツ型おむつが開示されている。このおむつにおける脚周り開口の頂部は、前後の胴周り域が合掌状に重なり合うおむつの側部に位置し、前胴周り域においてその頂部から弧を画きながら脚周りに沿って延びる弾性部材と、後胴周り域においてその頂部から弧を画きながら脚周りに沿って延びる弾性部材と、股下域において前後方向へ延びる弾性部材とによって脚周り弾性部材が形成されている。
【０００４】
【発明が解決しようとする課題】
前記特開昭６２−２４３８０６号公報のおむつでは、おむつを着用した子供が床に座ったときに、脚周り開口の頂部が太股の頂部を圧迫する恐れが少なくても、弾性部材は脚周りの開口に並行して延びるものではないから、その弾性部材が太股の頂部を圧迫するということがある。
【０００５】
図１０は、前記特開平３−１３９３４９号公報に開示のおむつ２０１を着用した子供が床に座っている状態を側方から見たときの部分図である。このおむつ２０１では、脚周り開口の頂部２４２とその頂部２４２に沿って延びる弾性部材２２３，２２４とがおむつ２０１の側部に位置していて太股の頂部とは一致していないから、子供が図示のように座ると、子供の太股の頂部を圧迫し、脚周りの弾性部材２２３，２２４が仮想線の如くずり下がることがある。
【０００６】
この発明では、パンツ型おむつの着用者が床に座ったときに、脚周り弾性部材で太股を強く圧迫することがないように、また、脚周りの弾性部材がずり下がることがないように、前記パンツ型おむつに改良を施すことが課題である。
【０００７】
【課題を解決するための手段】
前記課題解決のためにこの発明が対象とするのは、使い捨てのパンツ型おむつであって、そのおむつは、水平方向へ延びる第１上縁と、前記第１上縁と交差するとともに互いに離間平行して上下方向ヘ延びる一対の第１側縁と、前記第１上縁に対向配置され下方向へ向かって凹曲線を画く第１下縁とによって外形を画成される前胴周りシートの前記第１側縁近傍が、前記第１上縁と第１側縁とのそれぞれに平行する第２上縁と第２側縁と、前記第２側縁に対向配置されて前記下方向へ向かって凸曲線を画く第２下縁とによって外形を画成される後胴周りシートの前記第２側縁近傍に接合している。また、内面と外面とを有する体液吸収性パッドが前記内面を内側にして長手方向ヘＵ字型に折り曲げられて上方へ延びた先端部それぞれの前記外面が前記おむつの前後胴周りシートそれぞれの内面に接合している。前記前後胴周りシートの前記第１、２上縁が胴周り開口を形成し、前記前後胴周りシートの前記第１、２下縁と前記パッドの側縁とが協働して一対の脚周り開口を形成し、前記胴周り開口と脚周り開口の縁に並行して延びる弾性部材が前記開口それぞれの周縁部に弾性伸縮性を付与している。
【０００８】
かかるおむつにおいて、この発明が特徴とするところは、次のとおりである。前記脚周り開口それぞれの前記上下方向における頂部が前記前胴周りシートの第１下縁と前記パッドの側縁とによって画成されている。前記脚周り開口の縁に並行する弾性部材が前記前胴周りシートにその第１下縁に並行して取り付けられた第１弾性部材と、前記後胴周りシートにその第２下縁に並行して取り付けられた第２弾性部材と、前記パッドにその側縁に並行して取り付けられた第３弾性部材とからなる。前記第１弾性部材は、前記前胴周りシートにおいて前記頂部から前記おむつの後方へ向かって前記第１側縁近傍にまで延び、前記第２弾性部材は前記第２側縁近傍から前記おむつの後方へ向かって下降している。前記第１弾性部材と第２弾性部材とは、前記第１側縁と第２側縁との接合部位近傍で実質的につながり、前記第３弾性部材が前記頂部近傍で前記第１弾性部材と交差する一方、前記第２側縁よりも下方で前記第２弾性部材と交差している。
【０００９】
【発明の実施の形態】
添付の図面を参照して、この発明に係る使い捨てパンツ型おむつの詳細を説明すると、以下のとおりである。
【００１０】
図１、２は、使い捨てパンツ型おむつ１の正面側部分破断斜視図と、背面側斜視図である。おむつ１は、胴周りの前方に位置する前胴周りシート２と、後方に位置する後胴周りシート３と、Ｕ字型に折り曲げられて股下域に位置する体液吸収性パッド４とを有する。前後胴周りシート２，３は、不織布、プラスチックフィルム、これら不織布とフィルムとの積層シート等のシート材料からなるもので、それぞれがおむつ１の胴周りを半周する幅を有し、おむつ１の胴周り側部において合掌状に重なり合い、上下方向ヘ間欠的に並ぶ部位６で互いに接合して環状の胴周り部５と胴周り開口７とを形成している。前後胴周りシート２，３のそれぞれは、おむつ１の幅方向ヘ延びる上縁１１，１２と、下縁１３，１４と、互いに平行して上下方向ヘ延びるそれぞれ一対の側縁１６，１７を有し、上縁１１，１２に沿う部分の内面には、複数条の弾性糸からなり上縁１１，１２に並行する伸縮性の上方弾性部材１８，１９が伸長状態で取り付けられている。これら両部材１８，１９は、胴周り開口７の周縁部を着用者の胴周りに一様にフィットさせることができる。前後胴周りシート２，３の下縁１３，１４に沿う部分の内面には、複数条の弾性糸からなり下縁１３，１４に並行する伸縮性の下方弾性部材２３，２４が伸長状態で取り付けられている。
【００１１】
パッド４は、おむつ１着用者の肌に当接する透液性表面シート３１と、着衣に当接する裏面シート３２と、これら両シート３１，３２間に介在する体液吸収性コア３３とを有し、コア３３の周縁部から延出した表裏面シート３１，３２が重なり合って互いに接合し、コア３３の両側縁部外方にはフラップ３５を形成している。Ｕ字型を画くように折り曲げられているパッド４は、腹側上端部３６と背側上端部３７とを有し、これらのうちの上端部３６は前胴周りシート２の内面に接合し、もう一方の上端部３７は後胴周りシート３の内面に接合している。フラップ３５では、その側縁３５ａに並行してＵ字形を画いて上方へ延びる一条または複数条の弾性糸からなる伸縮性の側縁弾性部材３９が伸長状態で表裏面シート３１，３２いずれかの内面に取り付けられている。かかるパッド４は、パッド４の側縁でもあるフラップ３５の側縁３５ａが前後胴周りシート２，３それぞれの下縁１３，１４と交差することによって脚周り開口４１を形成している。パッド４の側縁弾性部材３９と、前後胴周りシート２，３の下方弾性部材２３，２４とは、互いに協働しておむつ１の脚周り弾性部材を形成している。
【００１２】
図３は、おむつ１の正面図である。前胴周りシート２の下縁１３は下方へ向かって凹となる曲線を画き、この下縁１３とパッド３の側縁３５ａとの交差部位が脚周り開口４１の上下方向における頂部４２を形成している。前胴周りシート２の下方弾性部材２３は、左右の脚周り開口４１の頂部４２と４２との間においてほぼ水平に延び、頂部４２から後方へ向かって下降して側縁１６の近傍にまで延びている。かかる下方弾性部材２３は、頂部４２の近傍においてパッド４の側縁弾性部材３９と交差している。
【００１３】
図４は、おむつ１の背面図である。後胴周りシート３の下縁１４は下方へ向かって凸となる曲線を画き、下方弾性部材２４は後胴周りシート３の下縁１４に沿っていて側縁１７近傍から後方へ向かって下降したのち、ほぼ水平に延びてパッド４を横断している。かかる下方弾性部材２４は、側縁１７よりも下方においてパッド４の側縁弾性部材３９と交差している。図３、４において、パッド４を横断している下方弾性部材２３，２４は、パッド４を着用者に密着させるように作用する。ただし、その作用が必要なければ、下方弾性部材２３，２４は、側縁弾性部材３９と交差する部位と部位との間の図示された範囲Ａ，Ｂにおいて切除することができる。
【００１４】
図５は、おむつ１を着用して床に座っている子供４３を側方から見たときの部分図である。おむつ１において、脚周り開口４１の頂部４２は、子供４３の太股４５の頂部４４におおむね一致し、前後胴周りシート２，３の下方弾性部材２３，２４が第１側縁１６と第２側縁１７とが接合する部位６の近傍で実質的につながって頂部４２から後方へ向かってほぼ直線状にまたは緩やかな曲線を画きながら下降して子供４３の臀部４５ａに達している。おむつ１がこのような着用状態にあれば、図のように座るときの子供４３の太股４５や臀部４５ａの動きに伴う下方弾性部材２３，２４の伸縮は、脚周りの締め付けを弱めたり強めたりするだけであって、従来技術のように脚周りにおいておむつ１をずり下げることがないから、太股４５におけるおむつ１の位置が安定する。
【００１５】
図６は、おむつ１の製造工程の要部を示す図面であり、機械方向が矢印ｍｄで示され、機械方向に対する直交方向が矢印ｃｄで示されている。工程は、第１〜８工程５１〜５８に区分けされている。そのうちの第１工程５１では、図の左から一幅のウエブ６１がｍｄ方向へ向かって連続的に供給される。
【００１６】
第２工程５２では、ウエブ６１の両側縁部にそれぞれが複数条の弾性糸６２，６３からなる胴周り開口部用弾性部材６４，６６が連続的に供給され、ウエブ６１の上面に接着剤（図示せず）を介して取り付けられる。その接着剤は、弾性糸６２，６３に塗布されている場合と、ウエブ６１に塗布されている場合とがある。
【００１７】
第３工程５３では、複数条の弾性糸６７からなる第１脚周り弾性部材７３と複数条の弾性糸６８からなる第２脚周り弾性部材７４とがウエブ６１の上面にサインカーブ状の曲線を画きながら所要の伸長状態で連続的に供給され、接着剤（図示せず）を介して取り付けられて、ウエブ６１と各弾性部材６４，６６，７３，７４からなる複合ウエブ６５が形成される。第１脚周り弾性部材７３と第２脚周り弾性部材７４とは、ウエブ６１の中心線ｃに関して対称であり、かつ、ｍｄ方向ヘ半周期ａの長さだけずれている。すなわち、図において第１脚周り弾性部材７３をｍｄ方向へ半周期ａだけずらすと、第１脚周り弾性部材７３が画く谷７６と山７７との曲線形状は、第２脚周り弾性部材７４が画く山７８と谷７９との曲線形状と中心線ｃに関して対称になる。
【００１８】
第４工程５４では、第３工程５３において第１脚周り弾性部材７３と第２脚周り弾性部材７４との間を二等分している線ｄに沿ってウエブ６１が切断されて第１半切ウエブ８１と第２半切ウエブ８２とになり、これら両ウエブ８１，８２がｍｄ方向に直交するｃｄ方向へ所要寸法Ｄ１だけ離間するように平行移動する。
【００１９】
第５工程５５では、部分的に破断して示されている個体の体液吸収性パッド８４を、それが第１、２半切ウエブ８１，８２の間をまたぐような態様で第１、２半切ウエブ８１，８２に重ね、重なり合う部分を接着剤（図示せず）で接合して第１おむつ連続体８５を得る。パッド８４のｍｄ方向の寸法は、半周期ａの長さよりも短く、ｍｄ方向において隣り合う２個のパッド８４は、そのうちの１つ８４ａが第１脚周り弾性部材７３の画く谷部７６と第２脚周り弾性部材７４の画く谷部７９の中央に位置し、もう一つのパッド８４ｂは、第１脚周り弾性部材７３の画く山部７７と第２脚周り弾性部材７４の画く山部７８の中央に位置している。これら隣り合うパッド８４ａと８４ｂとでは、側縁部４６からパッド８４ａまでの距離８６と側縁部４７からパッド８４ｂまでの距離Ｄ２とが等しい。パッド８４は、体液吸収性コア３３と側縁弾性部材３９とを有するものであるが（図７参照）、図６においてウエブ６１に載せられたパッド８２は、その外形のみが示されている。ただし、パッド部材８４の下側に位置する第１、２半切ウエブ８１，８２及び第１、２脚周り弾性部材７３，７４は、その存在を明示するために仮想線で示されている。
【００２０】
第６工程５６では、第１おむつ連続体８５のｍｄ方向の寸法を二等分する中心線ｅに沿って、連続体８５をパッド８４が内側となるようにして折り重ね、第２おむつ連続体８８を得る。
【００２１】
第７工程５７では、第２おむつ連続体８８において隣り合うパッド８４と８４との間の中心線ｆに沿って、重なり合う第１、２半切ウエブ８１と８２とを部位８９で接合する。
【００２２】
第８工程５８では、第２おむつ連続体８８を、矢印９０が指し示す部分、すなわち中心線ｆにおいて、接合部位８９を左右に二分するように切断して個体のおむつ１０１を得る。図から明らかなように、サインカーブ状曲線を画く第１、２脚周り弾性部材７３，７４の半周期ａ毎に１個のおむつ１０１を得ることができる。また、第２おむつ連続体８８を中心線ｆで分断すると、パッド８４ａを有する前向きのおむつ１０１と、パッド８４ｂを有する後向きのおむつ１０１とが交互に得られるが、これらのおむつ１０１は、製造されるときの向きが異なるのみで、同じものである。いずれのおむつ１０１においても、接合部位８９では胴周り開口部用弾性部材６４と６６とが重なり合い、第１脚周り弾性部材７３と第２脚周り弾性部材７４とが重なり合っている。
【００２３】
かような工程で得られるおむつ１０１は、図１のおむつ１に同じであって、パッド８４はおむつ１のパッド４に相当する。パッド８４のうちの８４ａを有するおむつ１０１の第１半切ウエブ８１と第２半切ウエブ８２とは、おむつ１の後胴周りシート３と前胴周りシート２とを形成する。胴周り開口部用弾性部材６４と６６とは、おむつ１の後胴周りシート３と前胴周りシート２の上方弾性部材１９と１８とを形成する。第１脚周り弾性部材７３と第２脚周り弾性部材７４とは、おむつ１の前胴周りシート２と後胴周りシート３との下方弾性部材２４と２３とを形成する。パッド８４ｂを有するおむつ１０１の第１半切ウエブ８１と第２半切ウエブ８２とは、おむつ１の前胴周りシート２と後胴周りシート３とを形成する。胴周り開口部用弾性部材６４と６６とは、おむつ１の後胴周りシート３と前胴周りシート２の上方弾性部材１８と１９とを形成する。第１脚周り弾性部材７３と第２脚周り弾性部材７４とは、おむつ１の前胴周りシート２と後胴周りシート３の下方弾性部材２３と２４とを形成する。おむつ１０１のうちでパッド８４ａを有するものでは、第２半切ウエブ８２とパッド８４ａとが交差する部位におむつ１の脚周り開口４１の頂部４２が形成される。また、パッド８４ｂを有するおむつ１０１では、図示されてはいないが、第１半切ウエブ８１とパッド８４ｂとが交差する部位におむつ１の脚周り開口４１の頂部４２が形成される。
【００２４】
この工程のウエブ６１には、不織布やプラスチックフィルム、不織布とプラスチックフィルムとからなる複合シート等を使用することができる。ウエブ６１は不透液性のものでもよいし、通気不透液性のものでもよいし、透液性のものでもよい。サインカーブ状の曲線を画く第１、２弾性部材７３，７４は、それぞれの山部７７，７８や谷部７６，７９において、図示例の如くウエブ６１の中心線ｃに平行な直線状にすることもできるし、曲線状にすることもできる。第１、２脚周り弾性部材７３，７４を形成する弾性糸６７，６８の本数は適宜増減することができる。
【００２５】
図７は、図６におけるパッド８４のＶＩＩ−ＶＩＩ線矢視図である。パッド８４は、図１のパッド４と同じものであって、透液性表面シート３１と、不透液性裏面シート３２と、これら両シート３１，３２間に介在する体液吸収性コア３３とを有する。コア３３の両側縁部外方に形成されたフラップ３５では、伸長状態の側縁弾性部材３９が表裏面シート３１，３２に挟まれている。表面シート３１には不織布や開孔プラスチックフィルムを使用することができ、裏面シート３２にはプラスチックフィルムを使用することができる。
【００２６】
図８は、図７のパッド８４に代えて使用することができるパッド８７の図７と同様な図面である。このパッド８７では、フラップ３５において、表面シート１よりもさらに外側ヘ延びる裏面シート３２がパッド８７の内側へ折曲されている。側縁弾性部材３９は、パッド８７のやや内側に位置している。このパッド８７では、フラップ３５の折曲部位８６が脚周り開口の縁の一部を形成する。図示例のパッド４，８４，８７の外形はいずれも矩形であるが、これらのパッドはその外形を砂時計型のものにして、前後方向の中央部において側縁３５ａを内側へ湾曲させることができる。そのようなパッドの側縁弾性部材３９は、湾曲した側縁３５ａに並行するように湾曲して前後方向ヘ延びる。
【００２７】
図９は、図６と同様な図面で、おむつ１０１の製造工程の一部分を示している。この場合の第３工程５３では、第４工程５４における第１半切ウエブ８１と第２半切ウエブ８２とに相当する部分に、伸長された複数条の第１脚周り弾性部材７３と第２脚周り弾性部材７４とがｃｄ方向の全体にほぼ均等に広がるように供給される。得られたおむつ１０１は、図１のおむつ１と同じ参照符号を有するものであるが、前胴周りシート２と後胴周りシート３とは、シート全体がおむつ１の幅方向への伸縮性を有している。ただし、前胴周りシート２では、脚周り開口４１近傍の脚周り弾性部材７３または７４が脚周り開口４１の頂部４２から接合部位６へ向かって下降し、後胴周りシート３では、脚周り開口４１近傍の脚周り弾性部材７３または７４が脚周り開口４１に沿って延びて接合部位６からパッド４ヘ向かって下降している。かかるおむつ１０１もまた、脚周り開口４１の縁に沿う脚周り弾性部材７３または７４が頂部４２から後方へ向かってほぼ直線状に延びているから、おむつ１０１を着用した子供が図５のように床に座っても、脚周り弾性部材７３，７４は太股からずり下がるということがない。
【００２８】
これまでの図示例においておむつ１，１０１の前胴周りシート２や後胴周りシート３は、それぞれ１枚のシート材料で形成されていたが、これらのシート２，３を２枚のシート材料を積層したものに代えるときには、上方弾性部材１８，１９や下方弾性部材２３，２４を、それら２枚のシート材料の間に介在させるとともに、シート材料のいずれかの内面に接合することが好ましい。図１、２のおむつ１において、パッド４は、両端部３６，３７を前後胴周りシート２，３に接合することに加え、弾性部材３９が下方弾性部材２３，２４と交差する部位においても前後胴周りシート２，３に接合すると、おむつ１は着用者の脚周りに対する密着性が向上する。
【００２９】
【発明の効果】
この発明に係る使い捨てのパンツ型おむつは、脚周り開口の頂部が前胴周り域に位置し、脚周りの弾性部材がその頂部からおむつの後方へ向かってほぼ直線状に下降しているから、このおむつを着用した子供が床に座っても脚周りの弾性部材はずり下がることがない。
【図面の簡単な説明】
【図１】使い捨てのパンツ型おむつの正面側部分破断斜視図。
【図２】図１のおむつの背面側斜視図。
【図３】図１のおむつの正面図。
【図４】図１のおむつの背面図。
【図５】子供が着用しているおむつの側面図。
【図６】図１のおむつの製造工程図。
【図７】図６におけるパッドのＶＩＩ−ＶＩＩ線矢視図。
【図８】パッドの一態様を示す図７と同様な図面。
【図９】図６とは、異なる態様のおむつの製造工程図。
【図１０】子供が着用している従来のパンツ型おむつの側面図。
【符号の説明】
１      おむつ
２      前胴周りシート
３      後胴周りシート
４      パッド
５      胴周り開口
６      接合部位
７      脚周り開口
１１      第１上縁（上縁）
１２      第２上縁（上縁）
１３      第１下縁（下縁）
１４      第２下縁（下縁）
１６      第１側縁（側縁）
１７      第２側縁（側縁）
１８      第１弾性部材（上方弾性部材）
１９      第２弾性部材（下方弾性部材）
３５ａ    側縁
３９      第３弾性部材（側縁弾性部材）
４２      頂部


【手続補正２】
【補正対象書類名】図面
【補正対象項目名】図５
【補正方法】変更
【補正の内容】
【図５】
2002306534.tif 000001
【手続補正３】
【補正対象書類名】図面
【補正対象項目名】図６
【補正方法】変更
【補正の内容】
【図６】
2002306534.tif 000002
【手続補正４】
【補正対象書類名】図面
【補正対象項目名】図８
【補正方法】変更
【補正の内容】
【図８】
2002306534.tif 000003